(57)【特許請求の範囲】
【請求項１】
窓枠に対して回動して開閉する窓を自動で施錠するための窓の施錠機構であって、
前記窓枠側に設けられるとともに上下方向で間隔をあけた状態で配置される複数のカム溝と、前記窓側に設けられるとともに上下方向で間隔をあけた状態で配置され複数の前記カム溝のそれぞれに係合する複数のカムフォロアと、複数の前記カム溝が形成される平板状のカム部材を移動させる駆動機構とを備え、
前記カム部材は、前記窓枠を構成する縦枠に上下動可能に取り付けられ、
複数の前記カムフォロアは、前記窓の縦框に固定され、
前記駆動機構は、前記カム部材に連結されるとともに、前記縦枠に沿って、かつ、前記窓が施錠状態となる施錠位置と前記窓が解錠状態となる解錠位置との間で、前記カム部材を直線的に移動させ、
前記カム部材が前記解錠位置から前記施錠位置に向かって移動するときの前記カム溝に対する前記カムフォロアの相対移動方向を第１方向とし、前記第１方向の反対方向を第２方向とし、閉じている前記窓の厚さ方向であってかつ閉じている前記窓が開く側の方向を第３方向とし、前記第３方向の反対方向を第４方向とすると、
複数の前記カム溝は、前記第３方向および前記第４方向への前記カムフォロアの移動を規制する移動規制部を備え、前記カム部材が前記施錠位置にあるときには、複数の前記カム溝のそれぞれの前記移動規制部に前記カムフォロアが配置され、
複数の前記カム溝のうちの少なくとも１つの前記カム溝は、前記第１方向へ相対移動する前記カムフォロアを前記移動規制部に向かって案内するガイド部を備え、
前記ガイド部には、前記第２方向側に向かうにしたがって前記カム溝の幅が前記第３方向側へ段階的に広がるように形成される段差面、または、前記第２方向側に向かうにしたがって前記カム溝の幅が前記第３方向側へ連続的に広がるように形成される傾斜面が形成され、
複数の前記カム溝のうちの少なくとも１つの前記カム溝には、前記窓の下端側から上端側に向かって次第に前記窓が前記窓枠に引き寄せられるように、または、前記窓の上端側から下端側に向かって次第に前記窓が前記窓枠に引き寄せられるように、前記段差面または前記傾斜面が形成され、
前記カム部材には、前記カム溝として、前記カム部材の下端側に配置される第１カム溝と、前記カム部材の上端側に配置される第２カム溝とが形成され、
前記カム溝は、前記カム部材の前記第３方向の端面から前記第４方向側に向かって形成される水平溝部と、前記水平溝部の前記第４方向の端部から上側または下側に向かって形成される垂直溝部とによって構成され、
前記第１カム溝の前記垂直溝部は、前記移動規制部によって構成され、
前記第２カム溝の前記垂直溝部は、前記移動規制部と前記ガイド部とによって構成されていることを特徴とする窓の施錠機構。
【請求項２】
前記駆動機構は、前記カム部材に一端側が連結される連結レバーを備え、
前記窓が閉じているときに、前記カム部材に連結される前記連結レバーの一端側部分、前記カム溝および前記カムフォロアは、外部に露出しないように前記窓と前記窓枠との間に配置されていることを特徴とする請求項１記載の窓の施錠機構。
【請求項３】
前記カム部材には、前記カム溝として、上下方向において前記第１カム溝と前記第２カム溝との間に配置される第３カム溝が形成され、
前記第３カム溝の前記垂直溝部は、前記移動規制部と前記ガイド部とによって構成され、
前記第２カム溝の前記ガイド部には、前記段差面として、第１段差面と、前記第１段差面よりも前記第３方向側に配置される第２段差面とが形成され、
前記第３カム溝の前記ガイド部には、前記段差面として、前記窓の厚さ方向において前記第１段差面と同じ位置に配置される第３段差面が形成されていることを特徴とする請求項１または２記載の窓の施錠機構。
【発明の詳細な説明】
【技術分野】
【０００１】
本発明は、窓枠に対して回動して開閉する窓を自動で施錠するための窓の施錠機構に関する。
【背景技術】
【０００２】
従来、窓枠と、窓枠に対してスライドしながら回動して開閉する窓とを有するすべり出し窓が知られている（たとえば、特許文献１参照）。特許文献１に記載のすべり出し窓は、窓の下端側に取り付けられる操作レバーを備えている。このすべり出し窓では、開放位置と閉鎖位置との間で操作レバーを手動で回動させることによって、窓の開閉が手動で行われる。また、このすべり出し窓では、閉鎖位置まで操作レバーが回動すると、窓が施錠される。すなわち、このすべり出し窓では、手動で窓が施錠されている。
【先行技術文献】
【特許文献】
【０００３】
【特許文献１】特開２００７−１７０１３４号公報
【発明の概要】
【発明が解決しようとする課題】
【０００４】
近年、建設業界では、すべり出し窓で使用される窓のように窓枠に対して回動して開閉する窓を気密性の高い状態でかつ自動で施錠したいとのニーズがある。そこで、本発明の課題は、窓枠に対して回動して開閉する窓を施錠するための窓の施錠機構において、閉じている窓を気密性の高い状態でかつ自動で確実に施錠することが可能な窓の施錠機構を提供することにある。
【課題を解決するための手段】
【０００５】
上記の課題を解決するため、本発明の窓の施錠機構は、窓枠に対して回動して開閉する窓を自動で施錠するための窓の施錠機構であって、窓枠側に設けられるとともに上下方向で間隔をあけた状態で配置される複数のカム溝と、窓側に設けられるとともに上下方向で間隔をあけた状態で配置され複数のカム溝のそれぞれに係合する複数のカムフォロアと、複数のカム溝が形成される平板状のカム部材を移動させる駆動機構とを備え、カム部材は、窓枠を構成する縦枠に上下動可能に取り付けられ、複数のカムフォロアは、窓の縦框に固定され、駆動機構は、カム部材に連結されるとともに、縦枠に沿って、かつ、窓が施錠状態となる施錠位置と窓が解錠状態となる解錠位置との間で、カム部材を直線的に移動させ、カム部材が解錠位置から施錠位置に向かって移動するときのカム溝に対するカムフォロアの相対移動方向を第１方向とし、第１方向の反対方向を第２方向とし、閉じている状態の窓の厚さ方向であってかつ閉じている窓が開く側の方向を第３方向とし、第３方向の反対方向を第４方向とすると、複数のカム溝は、第３方向および第４方向へのカムフォロアの移動を規制する移動規制部を備え、カム部材が施錠位置にあるときには、複数のカム溝のそれぞれの移動規制部にカムフォロアが配置され、複数のカム溝のうちの少なくとも１つのカム溝は、第１方向へ相対移動するカムフォロアを移動規制部に向かって案内するガイド部を備え、ガイド部には、第２方向側に向かうにしたがってカム溝の幅が第３方向側へ段階的に広がるように形成される段差面、または、第２方向側に向かうにしたがってカム溝の幅が第３方向側へ連続的に広がるように形成される傾斜面が形成され、複数のカム溝のうちの少なくとも１つのカム溝には、窓の下端側から上端側に向かって次第に窓が窓枠に引き寄せられるように、または、窓の上端側から下端側に向かって次第に窓が窓枠に引き寄せられるように、段差面または傾斜面が形成され、カム部材には、カム溝として、カム部材の下端側に配置される第１カム溝と、カム部材の上端側に配置される第２カム溝とが形成され、カム溝は、カム部材の第３方向の端面から第４方向側に向かって形成される水平溝部と、水平溝部の第４方向の端部から上側または下側に向かって形成される垂直溝部とによって構成され、第１カム溝の垂直溝部は、移動規制部によって構成され、第２カム溝の垂直溝部は、移動規制部とガイド部とによって構成されていることを特徴とする。
【０００６】
本発明の窓の施錠機構は、窓枠側に設けられる複数のカム溝と、窓側に設けられ複数のカム溝のそれぞれに係合する複数のカムフォロアとを備えている。また、本発明では、複数のカム溝は、第３方向および第４方向へのカムフォロアの移動を規制する移動規制部を備えており、窓が施錠状態となる施錠位置にカム部材があるときに、複数のカム溝のそれぞれの移動規制部にカムフォロアが配置されている。そのため、本発明では、窓が施錠状態になっているときに、カムフォロアがカム溝に対してがたつくのを防止することが可能になり、カム溝とカムフォロアとを用いて窓枠と窓とを密着させることが可能になる。したがって、本発明では、閉じている窓を気密性の高い状態で施錠することが可能になる。
【０００７】
一方で、施錠位置にカム部材があるときに、複数のカム溝のそれぞれの移動規制部にカムフォロアが配置されるため、窓枠に対する窓の取付精度が低い場合や、窓が完全に閉まっていない状態で解錠位置から施錠位置へカム部材を移動させた場合に、駆動機構によってカム部材を施錠位置へ移動させる際のカム溝の側面とカムフォロアとの接触圧が高くなって、駆動機構の負荷が大きくなるおそれがある。また、駆動機構の負荷が大きくなると、駆動機構によってカム部材を施錠位置まで移動させられず、閉じている窓を自動で施錠できないといった事態が生じうる。
【０００８】
しかしながら、本発明では、複数のカム溝のうちの少なくとも１つのカム溝は、第１方向へ相対移動するカムフォロアを移動規制部に向かって案内するガイド部を備え、ガイド部には、第２方向側に向かうにしたがってカム溝の幅が第３方向側へ段階的に広がるように形成される段差面、または、第２方向側に向かうにしたがってカム溝の幅が第３方向側へ連続的に広がるように形成される傾斜面が形成されている。そのため、本発明では、窓枠に対する窓の取付精度が低い場合や、窓が完全に閉まっていない状態で解錠位置から施錠位置へカム部材を移動させた場合であっても、駆動機構によってカム部材を施錠位置へ移動させる際のカム溝の側面とカムフォロアとの接触圧を低減して、駆動機構の負荷を軽減することが可能になる。したがって、本発明では、駆動機構によってカム部材を施錠位置まで移動させられず、窓を自動で施錠できないといった事態を回避することが可能になる。すなわち、本発明では、閉じている窓を自動で確実に施錠することが可能になる。また、本発明では、複数のカム溝のうちの少なくとも１つのカム溝には、窓の下端側から上端側に向かって次第に窓が窓枠に引き寄せられるように、または、窓の上端側から下端側に向かって次第に窓が窓枠に引き寄せられるように、段差面または傾斜面が形成されているため、窓枠に対する窓の取付精度が低い場合や、窓が完全に閉まっていない状態で解錠位置から施錠位置へカム部材を移動させた場合であっても、駆動機構によってカム部材を施錠位置へ移動させる際のカム溝の側面とカムフォロアとの接触圧を効果的に低減して、駆動機構の負荷を効果的に軽減することが可能になる。また、本発明では、カム部材には、カム溝として、カム部材の下端側に配置される第１カム溝と、カム部材の上端側に配置される第２カム溝とが形成され、カム溝は、カム部材の第３方向の端面から第４方向側に向かって形成される水平溝部と、水平溝部の第４方向の端部から上側または下側に向かって形成される垂直溝部とによって構成され、第１カム溝の垂直溝部は、移動規制部によって構成され、第２カム溝の垂直溝部は、移動規制部とガイド部とによって構成されているため、第１カム溝がガイド部を備えている場合と比較して、第１カム溝の形状を簡素化することが可能になる。
【０００９】
本発明において、駆動機構は、カム部材に一端側が連結される連結レバーを備え、窓が閉じているときに、カム部材に連結される連結レバーの一端側部分、カム溝およびカムフォロアは、外部に露出しないように窓と窓枠との間に配置されていることが好ましい。このように構成すると、犯罪者が、施錠状態にある窓を解錠状態にするためにカム部材を動かそうとしても、窓枠や窓を破壊しなければ、カム部材と、連結レバーの一端側部分とに触れることはできない。したがって、窓が施錠状態であるときに、犯罪者は、カム部材を容易に動かすことはできない。すなわち、犯罪者は、施錠状態の窓を容易に解錠状態にすることはできない。したがって、防犯効果を高めることが可能になる。
【００１３】
本発明において、カム部材には、カム溝として、上下方向において第１カム溝と第２カム溝との間に配置される第３カム溝が形成され、第３カム溝の垂直溝部は、移動規制部とガイド部とによって構成され、第２カム溝のガイド部には、段差面として、第１段差面と、第１段差面よりも第３方向側に配置される第２段差面とが形成され、第３カム溝のガイド部には、段差面として、窓の厚さ方向において第１段差面と同じ位置に配置される第３段差面が形成されていることが好ましい。このように構成すると、第１カム溝、第２カム溝および第３カム溝のそれぞれの移動規制部と、３個の移動規制部のそれぞれに係合するカムフォロアとを用いて、窓が施錠状態になっているときの窓枠と窓との密着性を高めることが可能になる。また、このように構成すると、駆動機構によってカム部材を施錠位置へ移動させる際に、第１カム溝の移動規制部にカムフォロアが配置され始めるタイミングと、第２カム溝の移動規制部にカムフォロアが配置され始めるタイミングと、第３カム溝の移動規制部にカムフォロアが配置され始めるタイミングとをずらすことが可能になる。したがって、窓枠に対する窓の取付精度が低い場合や、窓が完全に閉まっていない状態で解錠位置から施錠位置へカム部材を移動させた場合であっても、駆動機構によってカム部材を施錠位置へ移動させる際のカム溝の側面とカムフォロアとの接触圧を効果的に低減して、駆動機構の負荷を効果的に軽減することが可能になる。
【発明の効果】
【００１４】
以上のように、本発明では、窓枠に対して回動して開閉する窓を施錠するための窓の施錠機構において、閉じている窓を気密性の高い状態でかつ自動で確実に施錠することが可能になる。
【図面の簡単な説明】
【００１５】
【図１】本発明の実施の形態にかかる窓の施錠機構がすべり出し窓に取り付けられた状態を示す斜視図である。
【図２】図１に示すすべり出し窓を別の方向から示す斜視図である。
【図３】図１のＥ−Ｅ方向からすべり出し窓の一部を示す図である。
【図４】図３のＦ部の、カバー部材を取り外した状態の拡大図である。
【図５】図２のＧ部の拡大図である。
【図６】図３に示すカム溝の構成を説明するための図である。
【図７】図１に示すすべり出し窓において、窓の下端側は窓枠に接触しているが窓の上端側は窓枠に接触していない状態で窓を閉めたときのカムフォロアの動きを説明するための図である。
【図８】本発明の他の実施の形態にかかるカム溝の構成を説明するための図である。
【発明を実施するための形態】
【００１６】
以下、図面を参照しながら、本発明の実施の形態を説明する。
【００１７】
（すべり出し窓の全体構成）
図１は、本発明の実施の形態にかかる窓の施錠機構１がすべり出し窓４に取り付けられた状態を示す斜視図である。図２は、図１に示すすべり出し窓４を別の方向から示す斜視図である。
【００１８】
本形態の窓の施錠機構１（以下、「施錠機構１」とする）は、窓枠２に対して回動して開閉する窓３を自動で施錠するための機構である。この施錠機構１は、窓枠２に対してスライドしながら回動して開閉する窓３を有するすべり出し窓４に取り付けられて使用される。本形態のすべり出し窓４は、窓３が窓枠２に対して水平方向へスライドしながら上下方向を回動の軸方向として回動する縦すべり出し窓である。すべり出し窓４は、すべり出し窓４の気密性を確保するため、閉じている窓３と窓枠２との接触部分に配置されるシール部材（図示省略）を備えている。
【００１９】
窓３の下端側には、たとえば、図示を省略する取手が取り付けられており、窓３は手動で開閉される。あるいは、すべり出し窓４の下端側には、窓３の自動開閉機構（図示省略）が設けられており、窓３は自動で開閉する。なお、上下方向における窓３の中心位置や窓３の上端側に取手が取り付けられても良いし、上下方向におけるすべり出し窓４の中心位置やすべり出し窓４の上端側に自動開閉機構が設けられても良い。
【００２０】
以下の説明では、閉じている状態の窓３の厚さ方向（すなわち、すべり出し窓４の厚さ方向、図１等のＹ方向）を前後方向とし、上下方向（図１等のＺ方向）と前後方向とに直交する方向（図１等のＸ方向）を左右方向とする。また、Ｘ１方向側を「右」側、Ｘ２方向側を「左」側、Ｙ１方向側を「手前（前）」側、Ｙ２方向側を「奥（後ろ）」側、Ｚ１方向側を「上」側、Ｚ２方向側を「下」側とする。本形態では、閉じている状態の窓３の左端側に窓枠２に対する窓３の回動中心がある。また、本形態では、閉じている窓３が奥側に向かって押されると窓３が開き、開いている窓３が手前側に向かって引かれると窓３が閉じる。
【００２１】
窓枠２は、長方形の枠状に形成されており、２個の縦枠５と２個の横枠６とから構成されている。窓枠２の内側には、窓枠２の内周側へ突出する内枠１１が形成されている。内枠１１は、長方形の枠状に形成されている。また、内枠１１は、前後方向における窓枠２の略中心位置に配置されている。窓３は、窓ガラス７と窓ガラス７を囲む框８とから構成されている。框８は、長方形の枠状に形成されており、２個の縦框９と２個の横框１０とから構成されている。窓３は、内枠１１よりも奥側に配置されている。
【００２２】
（施錠機構の構成）
図３は、図１のＥ−Ｅ方向からすべり出し窓４の一部を示す図である。図４は、図３のＦ部の、カバー部材２７を取り外した状態の拡大図である。図５は、図２のＧ部の拡大図である。図６は、図３に示すカム溝１４ａ〜１４ｃの構成を説明するための図である。図７は、図１に示すすべり出し窓４において、窓３の下端側は窓枠２に接触しているが窓３の上端側は窓枠２に接触していない状態で窓３を閉めたときのカムフォロア１５の動きを説明するための図である。
【００２３】
施錠機構１は、窓枠２側に設けられるカム部材１４と、窓３側に設けられる複数のカムフォロア１５と、カム部材１４に連結されるとともにカム部材１４を移動させる駆動機構１６（図４参照）とを備えている。カム部材１４は、上下方向に細長い略長方形の平板状に形成されている。このカム部材１４は、カム部材１４の厚さ方向と左右方向とが一致するように配置されている。また、カム部材１４は、右側に配置される縦枠５の左側面の奥端側部分に取り付けられている。具体的には、カム部材１４は、右側に配置される縦枠５の左側面の、内枠１１よりも奥側の部分に取り付けられている。カム部材１４は、右側に配置される縦枠５の左側面に上下動可能に取り付けられており、駆動機構１６は、縦枠５に沿って上下方向へカム部材１４を直線的に移動させる。
【００２４】
カムフォロア１５は、図５に示すように、円柱状の軸部１５ａと、軸部１５ａの両端で径方向の外側へ広がるように形成される鍔部１５ｂ、１５ｃとを有する鍔付きの円柱状に形成されている。このカムフォロア１５は、窓３が閉じた状態において右側に配置される縦框９の右側面に固定されている。また、カムフォロア１５は、窓３が閉じた状態において右側に配置される縦框９の右側面から右側へ突出するように配置されている。すなわち、カムフォロア１５は、窓３の幅方向の外側へ突出するように一方の縦框９に固定されている。図２に示すように、本形態の施錠機構１は、３個のカムフォロア１５を備えており、３個のカムフォロア１５は、上下方向に一定の間隔をあけた状態で配置されている。鍔部１５ｂは、軸部１５ａの先端に繋がり、鍔部１５ｃは、軸部１５ａの基端に繋がっている。
【００２５】
カム部材１４には、複数のカム溝１４ａ〜１４ｃが形成されている。すなわち、窓枠２側には、複数のカム溝１４ａ〜１４ｃが設けられている。本形態では、３個のカム溝１４ａ〜１４ｃがカム部材１４に形成されている。すなわち、カムフォロア１５と同数のカム溝１４ａ〜１４ｃがカム部材１４に形成されている。３個のカム溝１４ａ〜１４ｃは、上下方向に一定の間隔をあけた状態で配置されている。また、カム溝１４ａ〜１４ｃは、カム部材１４の下端側から上端側に向かってこの順番に配置されている。上下方向における３個のカム溝１４ａ〜１４ｃのピッチ（具体的には、カム溝１４ａ〜１４ｃを構成する後述の水平溝部１４ｄ〜１４ｆのピッチ）は、上下方向における３個のカムフォロア１５のピッチと等しくなっている。
【００２６】
窓３が閉じている状態では、３個のカム溝１４ａ〜１４ｃのそれぞれに、３個のカムフォロア１５のそれぞれが係合している。具体的には、窓３が閉じている状態では、３個のカムフォロア１５の軸部１５ａのそれぞれが３個のカム溝１４ａ〜１４ｃのそれぞれに係合している。本形態のカム溝１４ａは、カム部材１４の下端側に配置される第１カム溝であり、カム溝１４ｃは、カム部材１４の上端側に配置される第２カム溝であり、カム溝１４ｂは、上下方向において、第１カム溝であるカム溝１４ａと第２カム溝であるカム溝１４ｃとの間に配置される第３カム溝である。
【００２７】
カム溝１４ａ〜１４ｃは、カム部材１４の奥端面から手前側に向かって形成される水平溝部１４ｄ〜１４ｆと、水平溝部１４ｄ〜１４ｆの手前端から上側に向かって立ち上がるように形成される垂直溝部１４ｇ〜１４ｉとによって構成されており、左右方向から見たときの形状が略Ｌ形状となるように形成されている。上下方向における水平溝部１４ｄ〜１４ｆの幅は、カムフォロア１５の軸部１５ａの直径よりも大きくかつ鍔部１５ｂの直径よりも小さくなっている。
【００２８】
カム溝１４ａの垂直溝部１４ｇは、前後方向におけるカムフォロア１５の移動を規制する移動規制部となっている。すなわち、垂直溝部１４ｇは、移動規制部によって構成されている。したがって、以下では、垂直溝部１４ｇを「移動規制部１４ｇ」と表記する。前後方向における移動規制部１４ｇの幅は、軸部１５ａの直径と略等しくなっており、軸部１５ａが移動規制部１４ｇに係合すると、カムフォロア１５の前後方向の移動が規制される。
【００２９】
カム溝１４ｂの垂直溝部１４ｈは、前後方向におけるカムフォロア１５の移動を規制する移動規制部１４ｊと、カムフォロア１５を移動規制部１４ｊに向かって案内するガイド部１４ｋとによって構成されている。移動規制部１４ｊは、垂直溝部１４ｈの上端側部分を構成している。ガイド部１４ｋは、水平溝部１４ｅの手前端に繋がるとともに移動規制部１４ｊの下端に繋がっており、駆動機構１６の動力で下方向へ移動するカム部材１４に対して上方向へ相対移動するカムフォロア１５を移動規制部１４ｊに向かって案内する機能を果たしている。
【００３０】
前後方向における移動規制部１４ｊの幅は、軸部１５ａの直径と略等しくなっており、軸部１５ａが移動規制部１４ｊに係合すると、カムフォロア１５の前後方向の移動が規制される。また、前後方向におけるガイド部１４ｋの幅は、軸部１５ａの直径よりも大きくかつ鍔部１５ｂの直径よりも小さくなっている。すなわち、前後方向におけるガイド部１４ｋの幅は、前後方向における移動規制部１４ｊの幅よりも広くなっている。具体的には、移動規制部１４ｊの手前側の側面とガイド部１４ｋの手前側の側面とは同一の平面上に配置され、ガイド部１４ｋの奥側の側面が移動規制部１４ｊの奥側の側面よりも奥側に配置されている。
【００３１】
すなわち、ガイド部１４ｋには、下方向に向かうにしたがってカム溝１４ｂの幅（具体的には、垂直溝部１４ｈの幅）が段階的に広がるように形成される段差面１４ｍが形成されている。本形態では、ガイド部１４ｋの奥側の側面が段差面１４ｍとなっており、ガイド部１４ｋには、１個の段差面１４ｍが形成されている。本形態の段差面１４ｍは、第３段差面である。なお、移動規制部１４ｊの奥側の側面の下端と段差面１４ｍの上端とは、左右方向から見たときに上下方向に対して傾斜する傾斜面を介して繋がっている。
【００３２】
カム溝１４ｃの垂直溝部１４ｉは、前後方向におけるカムフォロア１５の移動を規制する移動規制部１４ｎと、カムフォロア１５を移動規制部１４ｎに向かって案内するガイド部１４ｐとによって構成されている。移動規制部１４ｎは、垂直溝部１４ｉの上端側部分を構成している。ガイド部１４ｐは、水平溝部１４ｆの手前端に繋がるとともに移動規制部１４ｎの下端に繋がっており、駆動機構１６の動力で下方向へ移動するカム部材１４に対して上方向へ相対移動するカムフォロア１５を移動規制部１４ｎに向かって案内する機能を果たしている。
【００３３】
前後方向における移動規制部１４ｎの幅は、軸部１５ａの直径と略等しくなっており、軸部１５ａが移動規制部１４ｎに係合すると、カムフォロア１５の前後方向の移動が規制される。また、前後方向におけるガイド部１４ｐの幅は、軸部１５ａの直径よりも大きくかつ鍔部１５ｂの直径よりも小さくなっている。すなわち、前後方向におけるガイド部１４ｐの幅は、前後方向における移動規制部１４ｎの幅よりも広くなっている。具体的には、移動規制部１４ｎの手前側の側面とガイド部１４ｐの手前側の側面とは同一の平面上に配置され、ガイド部１４ｐの奥側の側面が移動規制部１４ｎの奥側の側面よりも奥側に配置されている。
【００３４】
すなわち、ガイド部１４ｐには、下方向に向かうにしたがってカム溝１４ｃの幅（具体的には、垂直溝部１４ｉの幅）が段階的に広がるように形成される段差面１４ｑ、１４ｒが形成されている。本形態では、ガイド部１４ｋの奥側の側面に段差面１４ｑと段差面１４ｒとが形成されている。段差面１４ｒは、段差面１４ｑよりも下側かつ奥側に配置されている。本形態の段差面１４ｑは、第１段差面であり、段差面１４ｒは、第２段差面である。なお、移動規制部１４ｎの奥側の側面の下端と段差面１４ｑの上端とは、左右方向から見たときに上下方向に対して傾斜する傾斜面を介して繋がっており、段差面１４ｑの下端と段差面１４ｒの上端とは、左右方向から見たときに上下方向に対して傾斜する傾斜面を介して繋がっている。
【００３５】
前後方向において、移動規制部１４ｇと移動規制部１４ｊと移動規制部１４ｎとは同じ位置に配置されている。また、前後方向において、段差面１４ｍと段差面１４ｑとは同じ位置に配置されている。上下方向における垂直溝部１４ｇの長さと垂直溝部１４ｈの長さと垂直溝部１４ｉの長さとは等しくなっている。また、上下方向における段差面１４ｍの幅と段差面１４ｑの幅と段差面１４ｒとの幅は略等しくなっている。すなわち、上下方向における移動規制部１４ｇの長さ、移動規制部１４ｊの長さおよび移動規制部１４ｎの長さはこの順番で次第に短くなっている。なお、段差面１４ｍは、段差面１４ｑより手前側に配置されても良いし、前後方向において段差面１４ｑと段差面１４ｒとの間に配置されても良い。
【００３６】
駆動機構１６は、図４に示すように、カム部材１４に一端側が連結される連結レバー２０と、連結レバー２０の他端側に連結される昇降レバー２１と、ケース体２２の内部に配置されるモータ（図示省略）と、ケース体２２の内部に配置される歯車列（図示省略）とを備えている。ケース体２２は、右側に配置される縦枠５の左側面の手前端側部分に取付板２３を介して固定されている。具体的には、ケース体２２は、右側に配置される縦枠５の左側面の、内枠１１よりも手前端の部分に取付板２３を介して固定されている。
【００３７】
昇降レバー２１は、棒状に形成されており、昇降レバー２１の長手方向と上下方向とが一致するように配置されている。昇降レバー２１には、図示を省略するラックギアが形成されている。昇降レバー２１の下端側部分は、ケース体２２の内部に配置されており、昇降レバー２１に形成されるラックギアは、ケース体２２の内部に配置される歯車列の最終段歯車に係合している。すなわち、昇降レバー２１は、歯車列を介してモータに連結されており、モータの動力で上下動する。なお、昇降レバー２１は、所定のリンク機構を介してソレノイドに連結されても良い。
【００３８】
連結レバー２０は、固定軸２４に回動可能に支持されている。固定軸２４は、固定軸２４の軸方向と左右方向とが一致するように取付板２３に固定されており、内枠１１よりも手前側に配置されている。連結レバー２０の一端側（奥端側）には、右方向へ突出する固定ピン２５が固定され、連結レバー２０の他端側（手前端側）には、左方向へ突出する固定ピン２６が固定されている。連結レバー２０は、前後方向で内枠１１を貫通する貫通孔（図示省略）に挿通されている。
【００３９】
固定ピン２５は、前後方向を長手方向としてカム部材１４に形成される長孔１４ｓに係合しており、連結レバー２０の一端側は、長孔１４ｓに対する固定ピン２５の相対回動と前後方向への相対移動とが可能になるように、カム部材１４に連結されている。固定ピン２６は、前後方向を長手方向として昇降レバー２１の上端側に形成される長孔２１ａに係合しており、連結レバー２０の他端側は、長孔２１ａに対する固定ピン２６の相対回動と前後方向への相対移動とが可能になるように、昇降レバー２１に連結されている。なお、連結レバー２０の一端側は、上下方向において、カム溝１４ａとカム溝１４ｂとの間であって、かつ、カム溝１４ａよりもカム溝１４ｂに近い位置でカム部材１４に連結されている。
【００４０】
駆動機構１６は、窓３が施錠状態となる施錠位置１４Ａ（図７（Ｃ）参照）と、窓３が解錠状態となる解錠位置１４Ｂ（図６参照）との間でカム部材１４を直線的に移動させる。本形態では、カム部材１４の上限位置が解錠位置１４Ｂであり、カム部材１４の下限位置が施錠位置１４Ａである。カム部材１４が解錠位置１４Ｂにあるときには、上下方向において、３個のカムフォロア１５のそれぞれの軸部１５ａの位置と、３個の水平溝部１４ｄ〜１４ｆのそれぞれの位置とがほぼ一致しており、窓３の開閉が可能になる。
【００４１】
また、カム部材１４が解錠位置１４Ｂにあるときに窓３が閉まると、３個のカムフォロア１５（具体的には、軸部１５ａ）のそれぞれは、水平溝部１４ｄ〜１４ｆのそれぞれの手前端部分（すなわち、垂直溝部１４ｇ〜１４ｉの下端側部分）に配置される。窓３を施錠する場合、駆動機構１６は、この状態で、カム部材１４を下降させて、解錠位置１４Ｂから施錠位置１４Ａに移動させる。カム部材１４が施錠位置１４Ａにあるときには、３個のカムフォロア１５のそれぞれの軸部１５ａが３個の移動規制部１４ｇ、１４ｊ、１４ｎのそれぞれに配置されており、カム部材１４が施錠位置１４Ａまで移動すると、窓３の開閉を行うことができない施錠状態になる。
【００４２】
なお、本形態では、上方向（Ｚ１方向）は、解錠位置１４Ｂから施錠位置１４Ａに向かってカム部材１４が移動するときのカム溝１４ａ〜１４ｃに対するカムフォロア１５の相対移動方向である第１方向となっており、下方向（Ｚ２方向）は、第１方向の反対方向である第２方向となっている。また、奥方向（Ｙ２方向）は、閉じている状態の窓３の厚さ方向であってかつ閉じている窓３が開く側の方向である第３方向となっており、手前方向（Ｙ１方向）は第３方向の反対方向である第４方向となっている。
【００４３】
ケース体２２の上側に突出する昇降レバー２１の上端側部分およびケース体２２等の、駆動機構１６の構成部品であって、内枠１１よりも手前側に配置される駆動機構１６の構成部品は、カバー部材２７に覆われている。また、窓３が閉じているときには、カム部材１４と、カムフォロア１５と、内枠１１よりも奥側に配置される連結レバー２０の一端側部分とは、外部に露出しないように窓枠２と窓３との間（具体的には、右側に配置される縦枠５と右側に配置される縦框９との間）に配置されている。すなわち、窓３が閉じているときには、連結レバー２０の一端側部分、カム部材１４およびカムフォロア１５は、右側に配置される縦枠５と右側に配置される縦框９との間に配置されており、すべり出し窓４の外部に露出していない。
【００４４】
上述のように、カム部材１４が解錠位置１４Ｂにあるときには、窓３の開閉が可能になっている。また、窓３を閉めて施錠を行う場合には、窓３を閉めた状態で解錠位置１４Ｂから施錠位置１４Ａへカム部材１４を移動させる。窓３を閉めた状態で解錠位置１４Ｂから施錠位置１４Ａへカム部材１４を移動させると（すなわち、カム部材１４を下降させると）、３個のカムフォロア１５のそれぞれの軸部１５ａが３個の移動規制部１４ｇ、１４ｊ、１４ｎのそれぞれに配置されて、窓３が施錠状態になる。
【００４５】
ここで、上述のように、取手が窓３の下端側に取り付けられているため、あるいは、窓３の自動開閉機構がすべり出し窓４の下端側に設けられているため、窓３を手動でまたは自動で閉めたときに、窓３の下端側は窓枠２に接触するが、窓３の上端側は窓枠２に接触せずに窓３の上端側と窓枠２との間にわずかな隙間が形成される場合が生じうる。すなわち、図６に示すように、窓３を閉めたときに、左右方向から見ると、窓３の下端側に固定されたカムフォロア１５の中心と窓３の上端側に固定されたカムフォロア１５の中心とを結ぶ仮想線ＣＬが上下方向に対して傾いている場合が生じうる。具体的には、窓３を閉めたときに、左右方向から見ると、仮想線ＣＬが上側に向かうにしたがって奥側へ向かうように上下方向に対して傾いている場合が生じうる。
【００４６】
この場合に施錠動作を行うと、カム溝１４ａに係合するカムフォロア１５は、カム部材１４の下降に伴って、図７（Ａ）〜（Ｃ）に示すように、移動規制部１４ｇの奥側の側面に接触しながらカム溝１４ａに対して相対的に上昇する。カム溝１４ｂに係合するカムフォロア１５は、カム部材１４の下降に伴って、図７（Ａ）〜（Ｃ）に示すように、まず、段差面１４ｍに接触しながらカム溝１４ｂに対して相対的に上昇し、その後、移動規制部１４ｊの奥側の側面に接触しながらカム溝１４ｂに対して相対的に上昇する。カム溝１４ｃに係合するカムフォロア１５は、カム部材１４の下降に伴って、図７（Ａ）〜（Ｃ）に示すように、まず、段差面１４ｒに接触しながらカム溝１４ｃに対して相対的に上昇し、その後、段差面１４ｑに接触しながらカム溝１４ｃに対して相対的に上昇し、その後、移動規制部１４ｎの奥側の側面に接触しながらカム溝１４ｃに対して相対的に上昇する。
【００４７】
すなわち、この場合の施錠動作では、窓３の下端側から上端側に向かって次第に窓３が窓枠２に引き寄せられていき、図７（Ａ）〜（Ｃ）に示すように、左右方向から見ると、仮想線ＣＬの上下方向に対する傾きが次第に小さくなって、最終的に、仮想線ＣＬは、上下方向と平行になる。このように、本形態では、窓３の下端側から上端側に向かって次第に窓３が窓枠２に引き寄せられるように、カム溝１４ｂ、１４ｃに段差面１４ｍ、１４ｑ、１４ｒが形成されている。すなわち、窓３の下端側に固定されるカムフォロア１５、上下方向における窓３の中間位置に固定されるカムフォロア１５、および、窓３の上端側に固定されるカムフォロア１５がこの順番で、移動規制部１４ｇ、１４ｊ、１４ｎに順次、配置されていくように、カム溝１４ｂ、１４ｃに段差面１４ｍ、１４ｑ、１４ｒが形成されている。
【００４８】
（本形態の主な効果）
以上説明したように、本形態では、上下方向に一定の間隔で配置される３個のカム溝１４ａ〜１４ｃは、前後方向へのカムフォロア１５の移動を規制する移動規制部１４ｇ、１４ｊ、１４ｎを備えており、窓３が施錠状態になる施錠位置１４Ａにカム部材１４があるときに、３個のカムフォロア１５のそれぞれの軸部１５ａが３個の移動規制部１４ｇ、１４ｊ、１４ｎのそれぞれに配置されている。そのため、本形態では、窓３が施錠状態になっているときに、上下方向に一定の間隔で配置される３個のカムフォロア１５のそれぞれがカム溝１４ａ〜１４ｃのそれぞれに対してがたつくのを防止することが可能になり、３個のカム溝１４ａ〜１４ｃと３個のカムフォロア１５とを用いて窓枠２と窓３とを密着させることが可能になる。したがって、本形態では、閉じている窓３を気密性の高い状態で施錠することが可能になる。
【００４９】
本形態では、上下方向における垂直溝部１４ｇの長さと垂直溝部１４ｈの長さと垂直溝部１４ｉの長さとが等しくなっている。また、本形態では、垂直溝部１４ｈはカムフォロア１５を移動規制部１４ｊに向かって案内するガイド部１４ｋを備え、垂直溝部１４ｉはカムフォロア１５を移動規制部１４ｎに向かって案内するガイド部１４ｐを備えており、上下方向における移動規制部１４ｇの長さ、移動規制部１４ｊの長さおよび移動規制部１４ｎの長さはこの順番で短くなっている。そのため、本形態では、駆動機構１６によってカム部材１４を施錠位置１４Ａへ移動させる際に、移動規制部１４ｇにカムフォロア１５が配置され始めるタイミングと、移動規制部１４ｊにカムフォロア１５が配置され始めるタイミングと、移動規制部１４ｎにカムフォロア１５が配置され始めるタイミングとがずれている。また、本形態では、ガイド部１４ｋに、下方向に向かうにしたがって垂直溝部１４ｈの幅が段階的に広がるように形成される段差面１４ｍが形成され、ガイド部１４ｐに、下方向に向かうにしたがって垂直溝部１４ｉの幅が段階的に広がるように形成される段差面１４ｑ、１４ｒが形成されている。また、段差面１４ｍ、１４ｑ、１４ｒは、窓３の下端側から上端側に向かって次第に窓３が窓枠２に引き寄せられるように形成されている。
【００５０】
そのため、本形態では、上述のように、窓３を閉めたときに、窓３の下端側は窓枠２に接触するが、窓３の上端側は窓枠２に接触せずに窓３の上端側と窓枠２との間にわずかな隙間が形成される状態で、解錠位置１４Ｂから施錠位置１４Ａへカム部材１４を移動させた場合であっても、カム部材１４を施錠位置１４Ａへ移動させる際のカム溝１４ａ〜１４ｃの側面とカムフォロア１５の軸部１５ａとの接触圧を低減して、駆動機構１６の負荷を軽減することが可能になる。したがって、本形態では、駆動機構１６によってカム部材１４を施錠位置１４Ａまで移動させられず、閉じている窓３を自動で施錠できないといった事態を回避することが可能になる。すなわち、本形態では、閉じている窓３を自動で確実に施錠することが可能になる。
【００５１】
本形態では、窓３が閉じているときに、連結レバー２０の一端側部分、カム部材１４およびカムフォロア１５は、右側に配置される縦枠５と右側に配置される縦框９との間に配置されており、すべり出し窓４の外部に露出していない。そのため、本形態では、犯罪者が、施錠状態にある窓３を解錠状態にするためにカム部材１４を動かそうとしても、窓枠２や窓３を破壊しなければ、連結レバー２０の一端側部分およびカム部材１４に触れることはできない。また、本形態では、駆動機構１６の構成部品であって、内枠１１よりも手前側に配置される駆動機構１６の構成部品は、カバー部材２７に覆われている。したがって、本形態では、窓３が施錠状態にあるときに、犯罪者は、カム部材１４を容易に動かすことはできない。すなわち、本形態では、犯罪者は、施錠状態の窓３を容易に解錠状態にすることはできない。その結果、本形態では、防犯効果を高めることが可能になる。
【００５２】
本形態では、窓３を施錠するときに、重力の方向である下方向へカム部材１４を移動させている。そのため、本形態では、窓３を施錠する際に駆動機構１６のモータにかかる負荷を軽減することが可能になる。
【００５３】
（他の実施の形態）
上述した形態は、本発明の好適な形態の一例ではあるが、これに限定されるものではなく本発明の要旨を変更しない範囲において種々変形実施が可能である。
【００５４】
上述した形態では、垂直溝部１４ｇ〜１４ｉは、水平溝部１４ｄ〜１４ｆの手前端から上側に向かって形成されているが、垂直溝部１４ｇ〜１４ｉは、水平溝部１４ｄ〜１４ｆの手前端から下側に向かって形成されても良い。この場合には、たとえば、カム部材１４の上限位置が施錠位置１４Ａとなり、カム部材１４の下限位置が解錠位置１４Ｂとなる。
【００５５】
上述した形態では、ガイド部１４ｋに１個の段差面１４ｍが形成され、ガイド部１４ｐに２個の段差面１４ｑ、１４ｒが形成されているが、ガイド部１４ｋに２個以上の段差面が形成され、ガイド部１４ｐに３個以上の段差面が形成されても良い。また、上述した形態では、ガイド部１４ｋに段差面１４ｍが形成されているが、図８（Ａ）に示すように、段差面１４ｍに代えて、下方向に向かうにしたがって垂直溝部１４ｈの幅が連続的に広がるように形成される傾斜面１４ｔがガイド部１４ｋに形成されても良い。また、上述した形態では、ガイド部１４ｐに段差面１４ｑ、１４ｒが形成されているが、図８（Ａ）に示すように、段差面１４ｑ、１４ｒに代えて、下方向に向かうにしたがって垂直溝部１４ｉの幅が連続的に広がるように形成される傾斜面１４ｕがガイド部１４ｐに形成されても良い。なお、傾斜面１４ｕは、傾斜角度が異なる複数の傾斜面が上下方向で繋がるように組み合わせて形成された傾斜面であっても良い。
【００５６】
上述した形態では、カム溝１４ａの垂直溝部１４ｇは、移動規制部によって構成されており、ガイド部を備えていないが、図８（Ｂ）に示すように、カム溝１４ａの垂直溝部１４ｘは、前後方向におけるカムフォロア１５の移動を規制する移動規制部１４ｙと、カムフォロア１５を移動規制部１４ｙに向かって案内するガイド部１４ｚとによって構成されていても良い。この場合には、図８（Ｂ）に示すように、ガイド部１４ｚに、下方向に向かうにしたがって垂直溝部１４ｘの幅が連続的に広がるように形成される傾斜面１４ｖが形成されても良いし、下方向に向かうにしたがって垂直溝部１４ｘの幅が段階的に広がるように形成される段差面が形成されても良い。なお、上述した形態のように垂直溝部１４ｇが移動規制部によって構成されている場合には、移動規制部１４ｙとガイド部１４ｚとによって垂直溝部１４ｘが構成されている場合と比較して、カム溝１４ａの形状を簡素化することが可能になる。
【００５７】
また、上述した形態では、上下方向における移動規制部１４ｇの長さ、移動規制部１４ｊの長さおよび移動規制部１４ｎの長さはこの順番で短くなっているが、図８（Ｂ）に示すように、上下方向における移動規制部１４ｊの長さと移動規制部１４ｙの長さとが、上述した形態における移動規制部１４ｎの長さと同じになっていても良い。この場合には、たとえば、左右方向から見たときに、ガイド部１４ｚに形成される傾斜面１４ｖの上下方向に対する傾き、ガイド部１４ｋに形成される傾斜面１４ｗの上下方向に対する傾き、および、ガイド部１４ｐに形成される傾斜面１４ｕの上下方向に対する傾きは、この順番で大きくなっている。
【００５８】
上述した形態では、取手が窓３の下端側に取り付けられているか、あるいは、窓３の自動開閉機構がすべり出し窓４の下端側に設けられており、窓３の下端側から上端側に向かって次第に窓３が窓枠２に引き寄せられるように、カム溝１４ｂ、１４ｃに段差面１４ｍ、１４ｑ、１４ｒが形成されている。この他にもたとえば、取手が窓３の上端側に取り付けられているか、あるいは、窓３の自動開閉機構がすべり出し窓４の上端側に設けられており、窓３を手動でまたは自動で閉めたときに、窓３の上端側は窓枠２に接触するが、窓３の下端側は窓枠２に接触せずに窓３の下端側と窓枠２との間にわずかな隙間が形成される場合には、窓３の上端側から下端側に向かって次第に窓３が窓枠２に引き寄せられるように、カム溝１４ａ、１４ｂに段差面または傾斜面が形成されても良い。この場合には、たとえば、カム溝１４ｃに段差面や傾斜面が形成されない。
【００５９】
また、上下方向における窓３の全体が一緒に窓枠２に引き寄せられるように、カム溝１４ａ〜１４ｃに段差面または傾斜面が形成されても良い。この場合には、たとえば、図８（Ｂ）において、ガイド部１４ｚに形成される傾斜面１４ｖの上下方向に対する傾きと、ガイド部１４ｋに形成される傾斜面１４ｗの上下方向に対する傾きと、ガイド部１４ｐに形成される傾斜面１４ｕの上下方向に対する傾きとが等しくなるように傾斜面１４ｕ〜１４ｗが形成されれば良い。
【００６０】
上述した形態では、カム部材１４は縦枠５に取り付けられ、カムフォロア１５は縦框９に固定されているが、カム部材１４が横枠６に取り付けられ、カムフォロア１５が横框１０に固定されても良い。この場合には、駆動機構１６は、横枠６に沿って左右方向へカム部材１４を直線的に移動させる。また、この場合には、たとえば、窓３の左端側から右端側に向かって次第に窓３が窓枠２に引き寄せられるように、カム溝１４ｂ、１４ｃに段差面１４ｍ、１４ｑ、１４ｒが形成されている。なお、窓３の左端側から右端側に向かって次第に窓３が窓枠２に引き寄せられるように、カム溝１４ａ〜１４ｃに段差面が形成されても良いし、カム溝１４ａ〜１４ｃ、あるいは、カム溝１４ｂ、１４ｃに傾斜面が形成されても良い。なお、左右方向における窓３の全体が一緒に窓枠２に引き寄せられるように、カム溝１４ａ〜１４ｃに段差面または傾斜面が形成されても良い。
【００６１】
上述した形態では、カム部材１４に３個のカム溝１４ａ〜１４ｃが形成されているが、カム部材１４に形成されるカム溝の数は２個であっても良い。たとえば、上述した形態において、カム部材１４にカム溝１４ｂが形成されずに、カム溝１４ａおよびカム溝１４ｃのみが形成されても良い。また、カム部材１４に形成されるカム溝の数は４個以上であっても良い。この場合には、カム部材１４に形成されるカム溝の数に応じた数のカムフォロア１５が窓３に固定される。
【００６２】
上述した形態では、カム溝１４ａ〜１４ｃが窓枠２側に設けられ、カムフォロア１５が窓３側に設けられているが、カム溝１４ａ〜１４ｃが窓３側に設けられ、カムフォロア１５が窓枠２側に設けられても良い。この場合には、たとえば、３個のカムフォロア１５が形成されるフォロア部材が縦枠５に上下動可能に取り付けられ、連結レバー２０の一端側がこのフォロア部材に連結される。すなわち、駆動機構１６は、縦枠５に沿って上下方向へこのフォロア部材を直線的に移動させる。この場合には、たとえば、フォロア部材の上限位置が施錠位置となり、フォロア部材の下限位置が解錠位置となる。また、この場合には、カム溝１４ａ〜１４ｃが形成されるカム部材１４が縦框９に固定される。あるいは、カム溝１４ａが形成されるカム部材と、カム溝１４ｂが形成されるカム部材と、カム溝１４ｃが形成されるカム部材とが縦框９に固定される。
【００６３】
上述した形態では、窓３が閉じている状態において、連結レバー２０の一端側部分、カム部材１４およびカムフォロア１５は、すべり出し窓４の外部に露出していないが、窓３が閉じている状態において、連結レバー２０の一端側部分、カム部材１４およびカムフォロア１５は、すべり出し窓４の外部に露出していても良い。
【００６４】
上述した形態では、すべり出し窓４は縦すべり出し窓であるが、施錠機構１が取り付けられるすべり出し窓は、窓３が窓枠２に対して上下方向へスライドしながら左右方向を回動の軸方向として回動する横すべり出し窓であっても良い。この場合には、たとえば、カム部材１４は、上側に配置される横枠６の下側面に、左右方向への移動が可能となるように取り付けられ、カムフォロア１５は、窓３が閉じた状態において上側に配置される横框１０の上側面に固定されている。あるいは、この場合には、カム部材１４は、縦枠５に上下動可能に取り付けられ、カムフォロア１５は、縦框９に固定されている。
【００６５】
また、施錠機構１は、窓枠に対してスライドすることなく回動して開閉する窓を有する回動窓等に取り付けられても良い。この場合には、窓が上下方向を回動の軸方向として窓枠に対して回動可能となっていても良いし、窓が左右方向を回動の軸方向として窓枠に対して回動可能となっていても良い。なお、施錠機構１が取り付けられる回動窓は、たとえば、天窓として使用される。
【符号の説明】
【００６６】
１  施錠機構（窓の施錠機構）
２  窓枠
３  窓
５  縦枠
６  横枠
９  縦框
１４  カム部材
１４Ａ  施錠位置
１４Ｂ  解錠位置
１４ａ  カム溝（第１カム溝）
１４ｂ  カム溝（第３カム溝）
１４ｃ  カム溝（第２カム溝）
１４ｄ〜１４ｆ  水平溝部
１４ｇ  移動規制部（垂直溝部、第１カム溝の垂直溝部）
１４ｈ  垂直溝部（第３カム溝の垂直溝部）
１４ｉ  垂直溝部（第２カム溝の垂直溝部）
１４ｊ、１４ｎ、１４ｙ  移動規制部
１４ｋ、１４ｐ、１４ｚ  ガイド部
１４ｍ  段差面（第３段差面）
１４ｑ  段差面（第１段差面）
１４ｒ  段差面（第２段差面）
１４ｔ、１４ｕ、１４ｖ、１４ｗ  傾斜面
１４ｘ  垂直溝部
１５  カムフォロア
１６  駆動機構
２０  連結レバー
Ｙ  閉じている窓の厚さ方向
Ｙ１  第３方向
Ｙ２  第４方向
Ｚ１  第１方向
Ｚ２  第２方向
【図１】
0006596232.tif 000002
【図２】
0006596232.tif 000003
【図３】
0006596232.tif 000004
【図４】
0006596232.tif 000005
【図５】
0006596232.tif 000006
【図６】
0006596232.tif 000007
【図７】
0006596232.tif 000008
【図８】
0006596232.tif 000009